(57)【特許請求の範囲】
【請求項１】
車両のドアの開閉をロックするドアロック装置のロック状態とアンロック状態を切り替える回転レバーへのカウンタウェイトの取付構造であって、
前記カウンタウェイトを収納可能な有底筒状の本体部を前記回転レバーに形成し、
該本体部の側部に、前記カウンタウェイトの後端縁に係合する弾性変形可能な複数の弾性係合爪を形成するとともに、
前記本体部の底部に、前記カウンタウェイトの前端面に弾性的に当接して該カウンタウェイトを反挿入方向に付勢する１つの第１当接片を設け、
前記第１当接片は、連結部を残して前記本体部の底面から切り離されることによって前記カウンタウェイトの挿入方向に弾性変形可能に形成され、前記カウンタウェイトの軸心に対応する位置に、該カウンタウェイトに当接する第１当接部を備えていることを特徴とするドアロック装置のカウンタウェイト取付構造。
【請求項２】
前記本体部の側部に、前記カウンタウェイトの外周面に弾性的に係合する複数の第２当接片を形成したことを特徴とする請求項１記載のドアロック装置のカウンタウェイト取付構造。
【請求項３】
前記各第２当接片は、前記本体部に底部から前記カウンタウェイトの反挿入方向に向かって突設されて前記本体部の径方向に弾性変形可能であり、
その内面には、前記本体部に挿入される前記カウンタウェイトの径方向外側に位置して該カウンタウェイトの前記本体部への挿入を許容する許容部と、該許容部から前記本体部の径方向内方に向かって傾斜する傾斜面を経て前記本体部の径方向内方に膨出する第２当接部とを備えることを特徴とする請求項２記載のドアロック装置のカウンタウェイト取付構造。
【発明の詳細な説明】
【技術分野】
【０００１】
本発明は、車両のドアの開閉をロックするドアロック装置のカウンタウェイト取付構造に関するものである。
【背景技術】
【０００２】
車両のドアの開閉をロックするドアロック装置は、車外側からのキーシリンダの操作によって施解錠を行うことができる他、車内側からドアのインナロックノブを操作することによっても施解錠を行うことができるよう構成されている。
【０００３】
ところで、車両の走行中に衝突事故が発生した場合、例えば、インナロックノブとドアロック機構とを連結する連結ロッド等の重量物が慣性力によって移動し、アンロック状態にあるドアロック装置が不意にロック状態へと切り替わる可能性がある。このように衝突事故が発生したときにドアロック装置が不意にアンロック状態からロック状態に切り替わると、車内の乗員が身動きが取れないために車内側からインナロックノブを操作できない場合には、車外から第三者がドアロック装置を解錠できないために乗員の救出に手間取ってしまうという問題が発生する。
【０００４】
そこで、衝突等による慣性力によってドアロック装置がアンロック状態からロック状態に切り替わることがないように、連結ロッドが連結されたロックレバーに、衝突による連結ロッドの慣性力を打ち消すためのカウンタウェイトを該ロックレバーの回転軸を中心として連結ロッドの連結点とは反対側に設けることが行われている（例えば、特許文献１参照）。
【先行技術文献】
【特許文献】
【０００５】
【特許文献１】特開昭５８−０１１２７５号公報
【発明の概要】
【発明が解決しようとする課題】
【０００６】
しかしながら、従来、カウンタウェイトはロックレバーに溶接等によって取り付けられていたため、その取り付けが煩雑であるという問題があった。
【０００７】
本発明は上記問題に鑑みてなされたもので、その目的とする処は、カウンタウェイトをガタツキなくワンタッチで簡単に取り付けることができるドアロック装置のカウンタウェイト取付構造を提供することにある。
【課題を解決するための手段】
【０００８】
上記目的を達成するため、請求項１記載の発明は、車両のドアの開閉をロックするドアロック装置のロック状態とアンロック状態を切り替える回転レバーへのカウンタウェイトの取付構造であって、
前記カウンタウェイトを収納可能な有底筒状の本体部を前記回転レバーに形成し、
該本体部の側部に、前記カウンタウェイトの後端縁に係合する弾性変形可能な複数の弾性係合爪を形成するとともに、
前記本体部の底部に、前記カウンタウェイトの前端面に弾性的に当接して該カウンタウェイトを反挿入方向に付勢する１つの第１当接片を設け、
前記第１当接片は、連結部を残して前記本体部の底面から切り離されることによって前記カウンタウェイトの挿入方向に弾性変形可能に形成され、前記カウンタウェイトの軸心に対応する位置に、該カウンタウェイトに当接する第１当接部を備えていることを特徴とする。
【００１０】
請求項２記載の発明は、請求項１記載の発明において、前記本体部の側部に、前記カウンタウェイトの外周面に弾性的に係合する複数の第２当接片を形成したことを特徴とする。
【００１１】
請求項３記載の発明は、請求項２記載の発明において、前記各第２当接片は、前記本体部に底部から前記カウンタウェイトの反挿入方向に向かって突設されて前記本体部の径方向に弾性変形可能であり、
その内面には、前記本体部に挿入される前記カウンタウェイトの径方向外側に位置して該カウンタウェイトの前記本体部への挿入を許容する許容部と、該許容部から前記本体部の径方向内方に向かって傾斜する傾斜面を経て前記本体部の径方向内方に膨出する第２当接部とを備えることを特徴とする。
【発明の効果】
【００１２】
請求項１記載の発明によれば、カウンタウェイトを回転レバーの本体部にその開口部から挿入すれば、該カウンタウェイトの後端縁に複数の弾性係合爪が係合してカウンタウェイトの本体部からの脱落が防がれるため、カウンタウェイトを回転レバーにワンタッチで簡単に取り付けることができる。そして、回転レバーの本体部内に収容されたカウンタウェイトは、本体部の底部に形成された第１当接片によって反挿入方向に付勢されるため、該カウンタウェイトの後端縁が各弾性係合爪に押し付けられて両者間に隙間が発生することがなく、カウンタウェイトの本体内での挿入方向のガタツキが防がれる。
【００１３】
そして、請求項１記載の発明によれば、第１当接片のカウンタウェイトの軸心に対応する位置に第１当接部を形成したため、１つの第１当接片によってカウンタウェイトを偏りなく反挿入側に付勢してその後端縁を各弾性係合爪に押し付けけることができ、カウンタウェイトの挿入方向のガタツキを簡単な構造で確実に防ぐことができる。
【００１４】
請求項２記載の発明によれば、回転レバーの本体部の側部に形成された複数の第２当接片が収納状態にあるカウンタウェイトの外周面に弾性的に係合するため、カウンタウェイトの径方向のガタツキが防がれる。
【００１５】
請求項３記載の発明によれば、回転レバーの本体部の側部に形成された各第２当接片の内面に、カウンタウェイトの本体部への挿入を許容する許容部と、本体部の径方向内方に膨出する第２当接部を形成したため、カウンタウェイトを本体部に容易に挿入して取り付けることができるとともに、本体部に収容されたカウンタウェイトの外周面に第２当接片の第２当接部が当接することによってカウンタウェイトの径方向のガタツキを簡単な構成によって確実に防ぐことができる。
【図面の簡単な説明】
【００１６】
【図１】本発明に係るカウンタウェイト取付構造を備えたドアロック装置のアンロック状態を示す図である。
【図２】本発明に係るカウンタウェイト取付構造を備えたドアロック装置のロック状態を示す図である。
【図３】カウンタウェイトが取り付けられたロックレバーの斜視図である。
【図４】カウンタウェイトの取付状態を示す図３のＡ−Ａ線断面図である。
【図５】カウンタウェイトを取り付ける前の状態を示すロックレバーの斜視図である。
【図６】ロックレバーの本体部を破断して示す斜視図である。
【発明を実施するための形態】
【００１７】
以下に本発明の実施の形態を添付図面に基づいて説明する。
【００１８】
図１は本発明に係るカウンタウェイト取付構造を備えたドアロック装置のアンロック状態を示す図、図２は同ドアロック装置のロック状態を示す図である。
【００１９】
図１及び図２に示すドアロック装置１は、車両の不図示のドアの開閉をロックする装置であって、これに設けられた不図示のロック機構のロック状態とアンロック状態を切り替える回転レバーとしてのロックレバー２を備えている。又、ドアの不図示のインナパネルには車内側から操作するためのインナロックノブ３が設けられており、このインナロックノブ３は、金属製の連結ロッド４によって前記ロックレバー２の一端に連結されている。
【００２０】
本実施の形態では、ロックレバー２は、樹脂によってＹ字状に一体成形されており、その中心部は軸５によってドアロック装置１の不図示のベース部材に回動可能に軸支されている。そして、このロックレバー２の軸５によって軸支される部分からは操作アーム部２Ａが一体に延びている。この操作アーム部２Ａは、不図示のロック機構に連結されており、ロックレバー２と共に軸５を中心として一体に回動することによってロック機構のロック状態とアンロック状態を切り替える機能を果たすものである。尚、図示しないが、ドアロック装置１には、車体側のストライカに係脱することによってドアを車体に対してロックするラッチが設けられている。ドアロック装置１は、ドアに設けられた不図示のドアハンドルの操作がロック機構を介してラッチに伝達されるよう構成されており、ロック機構がアンロック状態にある場合には、不図示のドアハンドルの操作によってラッチが作動してドアが開放されるとともに、ロック機構がロック状態にある場合には、不図示のドアハンドルの操作力がロック機構によって遮断されてラッチには伝達されず、ドアの開放が不能となる。
【００２１】
ところで、ロックレバー２の一端（図１及び図２の上端）には前記連結ロッド４が連結されているが、ロックレバー２の軸５を中心として連結ロッド４の連結点とは反対側（図１及び図２の下側）には有底筒状の本体部２Ｂが一体に形成されており、この本体部２Ｂには、金属によって円板状に成形されたカウンタウェイト６が本発明に係る取付構造によって取り付けられている。
【００２２】
而して、図１に示すようにインナロックノブ３がアンロック位置にある場合には、ロックレバー２及びこれに一体に形成された操作アーム部２Ａは図示位置にあって不図示のロック機構はアンロック状態にあり、ロック機構によって不図示のドアハンドルとラッチとが連結状態となるため、乗員はドアを自由に開閉することができる。
【００２３】
次に、図１に示すアンロック状態から乗員が車内側からインナロックノブ３を図２に示すようにアンロック位置からロック位置へとスライド操作すると、連結ロッド４が図２の矢印方向に引っ張られてロックレバー２とこれに一体に形成された操作アーム部２Ａが軸５を中心として図示矢印方向（反時計方向）に回動するため、不図示のロック機構がアンロック状態からロック状態に切り替えられ、ロック機構によって不図示のドアハンドルとラッチとが非連結状態となるため、乗員はドアハンドルを操作してもドアを開放することができず、ドアの開閉がロックされる。
【００２４】
そして、乗員が図２に示すロック位置にあるインナロックノブ３を図１に示すようにロック位置からアンロック位置へとスライド操作すると、連結ロッド４が図１の矢印方向に押されてロックレバー２とこれに一体に形成された操作アーム部２Ａが軸５を中心として図示矢印方向（時計方向）に回動するため、不図示のロック機構がロック状態からアンロック状態に切り替えられ、ロック機構によって不図示のドアハンドルとラッチとが連結状態となるため、ドアの開閉が許容される。
【００２５】
以上のように、乗員の室内側からのインナロックノブ３の操作によって不図示のロック機構のロック状態とアンロック状態を切り替えることができるが、同様の切り替えは車外側からのキーシリンダの操作によっても行うことができる。
【００２６】
ところで、例えばロック機構が図１に示すアンロック状態にある状態で車両が走行しているときに衝突事故（前面衝突）が発生した場合、重量物である連結ロッド４には車両前方の慣性力Ｆ１が作用し、この慣性力Ｆ１はロックレバー２とこれに一体に形成された操作アーム部２Ａを軸５を中心として図１の反時計方向（ロック方向）に回動させようとする。車両の衝突時の慣性力Ｆ１によってロックレバー２とこれに形成された操作アーム部２Ａが図２に示すロック位置へと回動すると、ロック機構がアンロック状態からロック状態へと切り替えられてドアの開閉がロックされるため、乗員が車内で身動きができない場合にはインナロックノブ３を操作することができないため、車外から第三者が直ちにドアのロックを解除することができず、乗員の救出に手間取ってしまうという問題が発生する。
【００２７】
然るに、本実施の形態に係るドアロック装置１においては、ロックレバー２の軸５を中心として連結ロッド４の連結点とは反対側にカウンタウェイト６が取り付けられているため、車両の衝突時にはカウンタウェイト６に車両前方の慣性力Ｆ２が作用する。そして、この慣性力Ｆ２はロックレバー２をアンロック方向に回動させるよう作用するため、慣性力Ｆ１と慣性力Ｆ２が相殺し合い、ロックレバー２のロック方向への回動によるロック機構のアンロック状態からロック状態への切り替えが阻止され、ドアを自由に開閉することができるために前記のような問題が発生することがない。
【００２８】
次に、本発明に係るカウンタウェイト６のロックレバー２への取付構造を図３〜図６に基づいて以下に説明する。
【００２９】
図３はカウンタウェイトが取り付けられたロックレバーの斜視図、図４はカウンタウェイトの取付状態を示す図３のＡ−Ａ線断面図、図５はカウンタウェイトを取り付ける前の状態を示すロックレバーの斜視図、図６はロックレバーの本体部を破断して示す斜視図である。
【００３０】
ロックレバー２の中心部には前記軸５が貫通するための軸貫通孔７が形成されており、操作アーム部２Ａの先端には、ロック機構のドアハンドルと連動する不図示のドアハンドル側伝達レバーと、ラッチと連動する不図示のラッチ側伝達レバーとを連結又は非連結とする連結ピンを連結するための長孔８が形成されている。又、ロックレバー２の一端には、前記連結ロッド４（図１及び図２参照）の一端を連結するための円孔９が形成されており、同ロックレバー２の軸貫通孔７を中心として円孔９とは反対側の端部には、カウンタウェイト６を収納するための有底筒状の前記本体部２Ｂが一体に形成されている。
【００３１】
そして、ロックレバー２の本体部２Ｂの円筒状の側部（周壁）２ａには、底部２ｂから垂直に一体に起立する弾性係合爪１０と第２当接片１１が各３つずつ交互に且つ周方向に等角度ピッチ（６０°ピッチ）で形成されている。
【００３２】
上記各弾性係合爪１０は基端部を中心として本体部２Ｂの径方向に弾性変形可能であって、その先端（図の上端）には、本体部２Ｂに挿入されるカウンタウェイト６の後端縁（図の上端縁）に係合する爪部１０ａが一体に形成されている。又、前記各第２当接片１１は、弾性係合爪１０よりも高さが低く形成され、図４及び図６に示すように、その内面には、本体部２Ｂに挿入されるカウンタウェイト６の径方向外側に位置して該カウンタウェイト６の本体部２Ｂへの挿入を許容する許容部１１ａと、該許容部１１ｂから本体部２Ｂの径方向内方に向かって傾斜する傾斜面を経て本体部２Ｂの径方向内方に膨出する第２当接部１１ｂとが形成されている。
【００３３】
又、ロックレバー２の本体部２Ｂの底部２ｂの中央には、本体部２Ｂにその開口部から挿入されるカウンタウェイト６の前端面（図の下端面）に弾性的に当接して該カウンタウェイト６を反挿入方向（図の上方）に付勢する第１当接片１２が形成されている。この第１当接片１２は、図６に示すように、本体部２Ｂの底部２ｂに形成された連結部２ｃを残して本体部２Ｂの底面２ｂから切り離されることによってカウンタウェイト６の挿入方向に弾性変形可能に形成され、カウンタウェイト６の軸心に対応する位置には、該カウンタウェイト６に当接する第１当接部１２ａ（図４参照）を備えている。
【００３４】
而して、カウンタウェイト６をロックレバー２の本体部２Ｂにその開口部から挿入すれば、該カウンタウェイト６の後端縁に３つの弾性係合爪１０の爪部１０ａが係合するため、該カウンタウェイト６の本体部２Ｂからの脱落が防がれ、カウンタウェイト６をロックレバー２にワンタッチで簡単に取り付けることができる。そして、ロックレバー２の本体部２Ｂ内に収容されたカウンタウェイト６は、ロックレバー２の本体部２Ｂの底部２ｂに形成された第１当接片１２によって反挿入方向（図の上方）に付勢されるため、該カウンタウェイト６の後端縁が各弾性係合爪１０の爪部１０ａに押し付けられて両者間に隙間が発生することがなく、カウンタウェイト６の本体２Ｂ内での挿入方向（図の上下方向）のガタツキが防がれる。
【００３５】
特に、本実施の形態では、ロックレバー２の本体部２Ｂに形成された第１当接片１２においては、カウンタウェイト６の軸心に対応する位置に第１当接部１２ａが形成されているため、１つの第１当接片１２ａによってカウンタウェイト６を偏りなく反挿入側（図の上方）に付勢してその後端縁を各弾性係合爪１０の爪部１０ａに押し付けけることができる、カウンタウェイト６の挿入方向のガタツキを簡単な構造で確実に防ぐことができる。
【００３６】
又、本実施の形態においては、ロックレバー２の本体部２Ｂの側部２ａに形成された３つの第２当接片１１が収納状態にあるカウンタウェイト６の外周面に弾性的に係合するため、カウンタウェイト６の本体部２Ｂ内での径方向のガタツキも防がれる。特に本実施の形態では、ロックレバー２の本体部２Ｂの側部２ａに形成された各第２当接片１１の内面に、カウンタウェイト６の本体部２Ｂへの挿入を許容する許容部１１ａと、本体部２Ｂの径方向内方に膨出する第２当接部１１ｂを形成したため、カウンタウェイト６をロックレバー２の本体部２Ｂに容易に挿入して取り付けることができるとともに、本体部２Ｂに収容されたカウンタウェイト６の外周面に第２当接片１１の第２当接部１１ｂが当接することによってカウンタウェイト６の径方向の本体部２Ｂ内でのガタツキを簡単な構成によって確実に防ぐことができる。
【００３７】
尚、以上の実施の形態においては、ロックレバー２の本体部２Ｂに弾性係合爪１０と第２当接片１１を各３つずつ形成したが、これらの弾性係合爪１０と第２当接片１１の数は複数であれば任意である。
【００３８】
又、以上の実施の形態においては、インナロックノブ３に連結された連結ロッド４が直接連結されたロックレバー２を回転レバーとして構成しているが、これに限定されるものではなく、回転することによってロック機構のロック／アンロック状態を切り替える回転式のレバーであればカウンタウェイトを装着可能であり、本発明の取付構造を採用することができる。
【符号の説明】
【００３９】
１          ドアロック装置
２          ロックレバー（回転レバー）
２Ａ        ロックレバーの操作アーム部
２Ｂ        ロックレバーの本体部
２ａ        本体部の側部
２ｂ        本体部の底部
２ｃ        本体部の連結部
３          インナロックノブ
４          連結ロッド
５          軸
６          カウンタウェイト
７          ロックレバーの軸貫通孔
８          ロックレバーの長孔
９          ロックレバーの円孔
１０        弾性係合爪
１０ａ      弾性係合爪の爪部
１１        第２当接片
１１ａ      第２当接片の許容部
１１ｂ      第２当接片の第２当接部
１２        第１当接片
１２ａ      第１当接片の第１当接部
Ｆ１，Ｆ２  慣性力
【図１】
0005994151.tif 000002
【図２】
0005994151.tif 000003
【図３】
0005994151.tif 000004
【図４】
0005994151.tif 000005
【図５】
0005994151.tif 000006
【図６】
0005994151.tif 000007